(57)【要約】【課題】安価に製造することができ、不正行為を容易に発見することができ、使い勝手の良い不正防止手段を備えた遊技機を提供する。【解決手段】互いに閉じられることで制御基板を収容する第１ケース部４と第２ケース部５を形成し、第２ケース部１２に形成された筒部１３の穴１３ａ内にマイクロチップＭＣを固着しておく。マイクロチップＭＣは、穴１３ａに固着される透明基板ＭＣaと、その透明基板ＭＣaに積層された情報が記録される記録層ＭＣbと反射層ＭＣcと保護層ＭＣdと接着層ＭＣeとを有し、第１ケース部４と第２ケース部５が閉じられると、接着層ＭＣeが第１ケース部４に収容されている制御基板に搭載されているＣＰＵやＲＯＭ等の電子部品の面に接着する。不正行為者によって第１，２ケース部４，５が開けられると、マイクロチップＭＣに形成されている記録層ＭＣbと反射層ＭＣcが剥離されて破損され、その破損された部分を透明基板ＭＣaを介して見ることで、不正が成されたことを容易に知ることができる。【選択図】  図６
2010099343.tif 000002
【特許請求の範囲】
【請求項１】
不正防止手段を有し制御基板を収容する基板ケースを備えた遊技機であって、
前記基板ケースは、互いに閉じられることで前記制御基板を収容する第１ケース部と第２ケース部とを有し、
前記不正防止手段は、前記第１ケース部と第２ケース部が閉じられると、第１ケース部に収容された前記制御基板に搭載されている電子部品と前記第２ケース部との間に介在するマイクロチップを有し、
前記マイクロチップは、前記第１ケース部に固着される透明基板に、情報が記録される記録層と反射層と保護層、及び前記第２ケースに接着される接着層が積層された構造を有し、
前記第１ケース部と第２ケース部が開けられると、前記マイクロチップに形成されている前記記録層と反射層が剥離されて破損されること、
を特徴とする遊技機。
【請求項２】
前記マイクロチップの記録層には、人間の目では読み取ることができない微細なマイクロバーコードが光学的に記録されること、
を特徴とする請求項１に記載の遊技機。
【請求項３】
前記マイクロチップの記録層には、人間が目視可能なパターンが記録されること、
を特徴とする請求項１または２の何れか１項に記載の遊技機。
【発明の詳細な説明】
【技術分野】
【０００１】
本発明は、例えばパチンコ機、スロットマシン等の遊技機に関し、特に、不正行為を発見して防止等するための不正防止手段を備えた遊技機に関する。
【背景技術】
【０００２】
パチンコ機、スロットマシン等の遊技機は、ＣＰＵやＲＯＭ等の電子部品が搭載された主制御基板と演出用制御基板等の各種の制御基板によって遊技動作を制御するようになっている。各種の制御基板は夫々所定の基板ケース内に収容されて封印され、外部から見えないように、遊技機内に取り付けられている。
【０００３】
従来の遊技機では、上述の基板ケースを封印し基板ケースの開閉を禁止するための手段として、裏面に糊材が塗設された封印シール（封印紙）が用いられ、その糊材によって封印シールが基板ケースの開閉部分に貼り付けられていた。ところが、糊材の接着力で封印シールが基板ケースに貼り付けられているだけであるため、不正行為者が封印シールを破損させることなく基板ケースから剥がし、基板ケースを開けて制御基板に搭載されている正規のＲＯＭを不正ＲＯＭに取り替える等の不正な改造を行い、剥がした封印シールを基板ケースの元の部分に貼り付けて他人には解らないようにして遊技行為を行う等の、不正行為が問題となっていた。
【０００４】
こうした不正行為の発見と防止等をより確実に行うために、ＩＣタグと呼ばれるチップ状の電子部品を封印シールとして利用するものが提案されている（特許文献１参照）。
【０００５】
そして、不正行為者が制御基板等を不正に改造するために基板ケースを開けると、特許文献１に開示されているＩＣタグが不可逆的に破損され、遊技機の管理者等が破損されたＩＣタグを見ることで、容易に不正行為を発見することができるようになっている。
【０００６】
【特許文献１】特開２００７−２９６２３９号公報
【発明の開示】
【発明が解決しようとする課題】
【０００７】
ところが、上述のＩＣタグは電子回路の形成されたチップ状の電子部品であることから、ＩＣタグを不正防止手段として利用することとすると、コスト高となる等の問題があった。
【０００８】
本発明は、こうした従来の問題に鑑みてなされたものであり、安価に製造することができる不正防止手段を備えた遊技機を提供することを目的とする。また、不正行為を容易に発見することができる不正防止手段を備えた遊技機を提供することを目的とする。
【課題を解決するための手段】
【０００９】
本発明は、不正防止手段を有し制御基板を収容する基板ケースを備えた遊技機であって、前記基板ケースは、互いに閉じられることで前記制御基板を収容する第１ケース部と第２ケース部とを有し、前記不正防止手段は、前記第１ケース部と第２ケース部が閉じられると、第１ケース部に収容された前記制御基板に搭載されている電子部品と前記第２ケース部との間に介在するマイクロチップを有し、前記マイクロチップは、前記第１ケース部に固着される透明基板に、情報が記録される記録層と反射層と保護層、及び前記第２ケースに接着される接着層が積層された構造を有し、前記第１ケース部と第２ケース部が開けられると、前記マイクロチップに形成されている前記記録層と反射層が剥離されて破損されること、を特徴とする。
【発明の効果】
【００１０】
本発明によれば、互いに閉じられることで制御基板を収容する第１ケース部と第２ケース部との第２ケース部にマイクロチップの透明基板が固着され、第１ケース部と第２ケース部が閉じられると、マイクロチップの接着層が制御基板に搭載されている電子部品に接着して、不正防止手段が構成される。第１ケース部と第２ケース部が開けられると、マイクロチップに形成されている記録層と反射層が剥離されて破損されることで、不正が成されたことを知らせることができる。更に、マイクロチップを安価に製造することができ、不正防止手段の構造も安価な構造とすることができる。更に、第２ケース部と電子部品の間にマイクロチップを介在させて不正防止手段の構造を実現することができるため、使い勝手の良い不正防止手段を提供することができる。
【発明を実施するための最良の形態】
【００１１】
本発明の好適な実施形態について、図１〜図９を参照して説明する。
図１は、本実施形態のパチンコ機の外観を概略的に示した斜視図、図２は、パチンコ機を分解した場合の外観を概略的に示した分解斜視図である。
【００１２】
図１において、パチンコ機１は、遊技場の遊技島に取り付けられる機枠１ａと、機枠１ａの前面に支持部１ｂによって回動可能に軸支された内枠１ｃと、内枠１ｃの前面に支持部１ｂによって回動可能に軸支されたフロント扉１ｄとを有し、機枠１ａの下側部分には、遊技球を収容するための受皿１ｅと、遊技球を打ち出すためのハンドル１ｆ等が設けられている。
【００１３】
遊技場では通常、施錠部（図示省略）を介して内枠１ｃとフロント扉１ｄが機枠１ａに対して施錠され、遊技機の管理者がメンテナンス等を行うために解錠した場合に限って、内枠１ｃとフロント扉１ｄを機枠１ａから前面へ回動させて開くことができるようになっている。
【００１４】
更に、図２の分解斜視図にて示すように、フロント扉１ｄには透明なガラス板１ｇが固着され、そのガラス板１ｇを介して遊技者が内枠１ｃに設けられている遊技盤１ｈを見ることができるようになっている。なお、フロント扉１ｄと遊技盤１ｈの構造についての詳細な説明は省略するが、フロント扉１ｄの両側部分と上部には、視覚効果と音響効果を高めるための演出用のランプとスピーカ等が設けられており、遊技盤１ｈの盤面には、複数の入賞口、多数の遊技釘、視覚効果を高めるための演出用のランプや液晶表示パネル、ハンドル１ｆによって打ち出される遊技球を遊技盤１ｈの盤面上方へ案内するためのガイドレール等が設けられている。
【００１５】
更に、内枠１ｃの背面、別言すれば遊技盤１ｈの背面には、パチンコ機１における遊技動作を全体的に集中制御等する主制御基板を収容した基板ケースと、上述の視覚効果と音響効果を高めるために演出用のランプや液晶表示パネル、スピーカを制御する演出用制御基板を収容した基板ケースが取り付けられている。また、主制御基板を収容した基板ケースと、演出用制御基板を収容した基板ケースの他、遊技機１内に設けられている電源装置や遊技球を配給するための機構等を制御するための各種制御基板を収容した基板ケースも遊技盤１ｈの背面に取り付けられている。
【００１６】
そして、図１に示したように、内枠１ｃとフロント扉１ｄが機枠１ａに対して施錠されると、それらの基板ケースは遊技機１内に収容され、外部から見ることができないようになっている。
【００１７】
次に、図３、図４を参照して、上述の基板ケースの構造について説明する。なお、図３は、制御基板を収容して閉じた状態の基板ケースの外観を示す斜視図、図４は、基板ケースの開いた状態を示す斜視図である。また、上述した主制御基板を収容する基板ケースと、演出用制御基板を収容する基板ケースと、その他各種の制御基板を収容する基板ケースも、基本的に同じ構造を有しているため、主制御基板３を収容する基板ケース２の構造について、代表して説明することとする。
【００１８】
図３、図４において、この基板ケース２は、透明なアクリル樹脂やポリカーボネート樹脂等のいわゆる硬質のプラスチック材を用いて成形された箱形状のケースであり、主制御基板３を収容する矩形状の第１ケース部４と、第１ケース部４に上方から被さるようにして嵌り合う矩形状の第２ケース部５と、第１ケース部４と第２ケース部５とを回動可能に軸支する蝶番部６とを有している。第１ケース部４には、上述した遊技盤１ｈ（図２参照）の背面にネジ止め等によって固定するための複数の固定部７が形成され、更に第１ケース部４の矩形状の底部８には、主制御基板３を載置して固定するための載置部９が一体成形されている。なお、主制御基板３は、絶縁性を有する電気回路基板上に、ＣＰＵとＲＯＭ、配線用のコネクタ、抵抗、コンデンサ等の電子部品が搭載され、電気回路基板上に形成されている配線パターンにそれらの電子部品が半田付けされることで、所定の機能を発揮するようになっている。
【００１９】
更に、第１ケース部４の側壁（符号省略）には複数の嵌合穴１０が形成され、第２ケース部５の側壁（符号省略）には複数の舌片状の嵌合突起１１が形成されており、図３に示すように、第１ケース部４に対して第２ケース部５を閉じると、それらの嵌合穴１０と嵌合突起１１とが強嵌合することで、第１，第２ケース部４，５が互いに強固に嵌り合って主制御基板３を収容する。
【００２０】
更に、図４に示すように、第２ケース部５の天板部１２には、後述するマイクロチップＭＣが固着された筒部１３が一体成形されている。ここで、筒部１３は、第１，第２ケース部４，５が閉じられると、第１ケース部４に収容されている主制御基板３に搭載されているＣＰＵの上面に接触する高さに形成されており、更に筒部１３には、マイクロチップＭＣを嵌装する穴１３ａが形成されている。そして、次に説明するように、マイクロチップＭＣは穴１３ａ内に嵌装され、そのマイクロチップＭＣの周縁部と穴１３ａの壁面との間に充填された接着剤によって固着されている。
【００２１】
次に、図５、図６を参照して、マイクロチップＭＣの構造及びその製造方法と、マイクロチップＭＣの筒部１３への取り付け構造について説明する。なお、図５（ａ）は、マイクロチップＭＣの構造を拡大して示す斜視図、図５（ｂ）は、マイクロチップＭＣの筒部１３への取り付け構造を拡大して示す斜視図である。なお、図５（ｂ）において、第２ケース部５の天板部１２が部分的に破断した状態で示されている。
【００２２】
まず、図５（ａ）に示すように、マイクロチップＭＣは、ポリカーボネート樹脂で形成された平板状の透明基板ＭＣaと、透明基板ＭＣa上に積層された記録層ＭＣb、反射層ＭＣc、保護層ＭＣd、接着層ＭＣeを有して構成されている。
【００２３】
ここで、マイクロチップＭＣは、厚さが０．６ｍｍ程度、縦横の大きさが夫々１ｃｍ程度となっている。透明基板ＭＣaは、マイクロチップＭＣのほぼ大半の厚みに匹敵する厚みを有し、その厚さが０．５ｍｍ程度、縦横の大きさが夫々１ｃｍ程度となっている。
【００２４】
記録層ＭＣbは、スパッタ法によって透明基板ＭＣa上に薄膜形成されたアモルファス金属から成り、所定波長（本実施形態では、６５０ｎｍ）のレーザ光が照射されると、結晶化から非結晶化、または非結晶化から結晶化へと状態が変化し、レーザ光によって光学的に情報の記録と消去を繰り返すことができるようになっている。
【００２５】
つまり、記録すべき情報に基づいて変調した所定パワーのレーザ光を記録層ＭＣbに照射すると、その照射した部分が結晶化されて反射率が変化し、情報を記録することが可能となっている。また、所定の強パワーのレーザ光を結晶化されている部分に照射して加熱してから冷却すると、結晶状態を溶かして非結晶化させることができ、この非結晶化の状態にすることで情報を消去することが可能となっている。このように、アモルファス金属によって薄膜形成された記録層ＭＣbに、レーザ光を照射することによって結晶化と非結晶化とを行うことで、情報の記録と消去、更に情報の再起録と再消去を何回でも行うことが可能となっている。なお、この情報の記録と消去を行うための装置については、後述することとする。
【００２６】
反射層ＭＣcは、金やアルミニウム等の金属薄膜から成り、紫外線硬化樹脂で成形された厚さが０．１ｍｍ程度の保護層ＭＣdの面に蒸着されることで、極めて薄い金属薄膜として形成されている。そして、反射層ＭＣcと記録層ＭＣbとを面接触させて、保護層ＭＣdと透明基板ＭＣaの両側から圧接することで、反射層ＭＣcと記録層ＭＣbとが機械的に隙間無く接着されている。
【００２７】
接着層ＭＣeは、高い剥離強度を有するアクリル系粘着剤等の接着剤で形成され、保護層ＭＣdの裏面（反射層ＭＣcが形成されている面とは反対側の面）に塗設されている。
【００２８】
以上に説明した構造を有するマイクロチップＭＣが、図５（ｂ）に示すように、透明基板ＭＣaを上、接着層ＭＣeを下に向けて、筒部１３に形成されている穴１３ａ内に挿入され、透明基板ＭＣaの周縁部と穴１３ａの壁面との間に充填された紫外線硬化樹脂や熱硬化樹脂等の接着剤によって固着されている。更に、下に向けて穴１３ａ内に挿入された接着層ＭＣeが、穴１３ａから出っ張らないように、接着層ＭＣeと筒部１３の底面（ＣＰＵに対向する面）とを面一にして、透明基板ＭＣaの周縁部と穴１３ａが、上述の紫外線硬化樹脂や熱硬化樹脂等の接着剤によって固着されている。
【００２９】
そして、第１ケース部４に対して第２ケース部５が閉じられると、図６の断面図にて示すように、筒部１３の底面が、ＣＰＵの上面に接触すると共に、マイクロチップＭＣに形成されている接着層ＭＣeがＣＰＵの上面に接着し、更に透明基板ＭＣaが外部に露出する。
【００３０】
そして、筒部１３に設けられているマイクロチップＭＣが電子部品であるＣＰＵの上面に接触して介在することで、第２ケース部５とＣＰＵの間にマイクロチップＭＣが介在することとなる構造によって不正防止手段が実現されている。
【００３１】
次に、マイクロチップＭＣに形成されている記録層ＭＣbへの情報記録と消去を行うための装置（以下、「情報記録再生装置」と称する）について、図７を参照して説明する。
【００３２】
図７に示す情報記録再生装置１００は、記録層ＭＣbへの情報記録と消去の他、記録層ＭＣbに既に記録されている情報を光学的に読み取って再生する機能を有している。更に、人間が手に持って操作することが可能な小形の装置として形成されている。
【００３３】
情報記録再生装置１００は、所定波長（６５０ｎｍ）のレーザ光を射出するレーザダイオード１０１と、コリメートレンズ１０２、レーザ光の射出方向に対して直交する面においてコリメートレンズ１０２を偏倚させるビームスキャン用の２軸アクチュエータ１０３、対物レンズ１０４、対物レンズ１０４を進退移動させて自動的にフォーカシングを行うための１軸アクチュエータ１０５、コリメートレンズ１０２と対物レンズ１０４との間に設けられたビームスプリッタ（ハーフミラー）１０６、集光レンズ（コリメートレンズ）１０７、ＣＣＤ等の受光素子１０８とを備え、更に図示していない制御回路によって、レーザダイオード１０１と２軸アクチュエータ１０３と１軸アクチュエータ１０５と受光素子１０８とを制御するようになっている。更に、情報記録再生装置１００には、液晶表示パネルが設けられており、制御回路による制御の下で後述する再生された情報等を表示するようになっている。
そして、対物レンズ１０４が収容されている鏡筒（図示省略）をマイクロチップＭＣの透明基板ＭＣaに近接させて使用される。
【００３４】
情報記録再生装置１００が情報を記録する際には、レーザダイオード１０１から情報を記録するための所定パワーに設定されたレーザ光であって、記録すべき情報に基づいて変調されたレーザ光が射出される。更に、そのレーザ光はコリメートレンズ１０２によって平行光とされ、ビームスプリッタ１０６を通って対物レンズ１０４で収束され、微細なスポット光となって、透明基板ＭＣaを介して記録層ＭＣbに照射され、そのスポット光によって記録層ＭＣbに情報記録が行われる。
【００３５】
ここで、記録層ＭＣbから反射されてくる反射光が対物レンズ１０４とビームスプリッタ１０６と集光レンズ１０７を介して受光素子１０８に入射し、上述の制御回路が受光素子１０８で検出される反射光の受光パターンに基づいて対物レンズ１０４の合焦状態を判断して１軸アクチュエータ１０５を自動制御する。この自動制御によって、対物レンズ１０４で収束されるスポット光が常に記録層ＭＣbに対して合焦するようになっている。更に、２軸アクチュエータ１０３がコリメートレンズ１０２を所定のピッチ間隔ずつ偏倚させることで上述の平行光の角度を変化させ、記録層ＭＣbに対するスポット光の照射位置を偏倚させる。つまり、２軸アクチュエータ１０３によってスポット光を偏倚させることで、記録層ＭＣbに対して走査させ、記録層ＭＣbに情報を順次に記録するようになっている。
【００３６】
次に、情報記録再生装置１００が情報を再生する際には、レーザダイオード１０１から情報を再生するための所定パワーに設定されたレーザ光が射出される。更に、そのレーザ光はコリメートレンズ１０２によって平行光とされ、ビームスプリッタ１０６を通って対物レンズ１０４で収束され、微細なスポット光となって、透明基板ＭＣaを介して記録層ＭＣbに照射される。ここで、上述した情報記録の場合と同様に、１軸アクチュエータ１０５によるフォーカシングと、２軸アクチュエータ１０３による走査が行われることで、記録層ＭＣbに記憶されている情報を含んだ反射光が対物レンズ１０４に入射し、ビームスプリッタ１０６と集光レンズ１０７を介して受光素子１０８に入射する。そして、受光素子１０８で時々刻々と検出される反射光の受光パターンを上述の制御回路が解析し、記憶されている情報を再生（復調）して、上述の液晶表示パネルに表示する。
【００３７】
次に、情報記録再生装置１００が情報を消去する際には、レーザダイオード１０１から情報を消去するための所定パワーに設定されたレーザ光が射出される。なお、アモルファス金属によって薄膜形成された記録層ＭＣbの情報記録されている部分を非結晶化するためには、強パワーのレーザ光が必要であるため、上述した記録または再生の際にレーザダイオード１０１から射出されるレーザ光よりも強パワーのレーザ光が射出される。更に、上述した情報記録の場合と同様に、１軸アクチュエータ１０５によるフォーカシングと、２軸アクチュエータ１０３による走査が行われることで、スポット光が透明基板ＭＣaを介して記録層ＭＣbの情報記録されている部分に照射され、その照射された部分を非結晶化して情報の消去が行われる。
【００３８】
次に、図８を参照して、マイクロチップＭＣの記録層ＭＣbに記録される情報について説明する。なお、図８（ａ）は、マイクロチップＭＣの記録層ＭＣbに記録されるマイクロバーコードを拡大して示す説明図、図８（ｂ）はマイクロチップＭＣの記録層ＭＣbに記録される目視可能な情報を、透明基板ＭＣa側から見た場合を示す説明図である。
【００３９】
図８（ａ）に示すように、マイクロチップＭＣの記録層ＭＣbには、微細な多数のバーから成るマイクロバーコードが記録される。個々のバーの幅は約１μｍ程度、隣接するバーとバーとの最小間隔が約２μｍに決められている。そして、上述したレーザ光によって最小間隔の整数倍の間隔で多数のバーを記録層ＭＣbに記録することでマイクロバーコードが記録され、更にバーが記録された部分とバーが記録されない部分との配列によって、意味を有する情報が記録されるようになっている。例えば、遊技機１と基板ケース２と主制御基板３の夫々の製造番号（ＩＤ番号）、製造メーカーの名称、製造場所、製造年月日等がマイクロバーコードとして記録される。そして、上述した情報記録再生装置１００を用いてマイクロバーコードを読み取ることができ、情報記録再生装置１００に設けられている液晶表示パネルに表示されたマイクロバーコードの情報を、遊技機１の管理者が見ることで、遊技機１に取り付けられている主制御基板３と基板ケース２に不正な改造等が施されているか否か判断することができるようになっている。
【００４０】
更に、上述のマイクロバーコードは微細なバーの集合であることから、人間が見ても情報の意味を読み取ることができない。そこで、図８（ｂ）に示すように、人間が目視によって認識することが可能な文字や記号、図形等のパターンも、マイクロチップＭＣの記録層ＭＣbに記録されている。ここで、これらのパターンは、上述した情報記録再生装置１００によって記録され、記録層ＭＣbに照射されるスポット光により点描画される。つまり、１つのスポット光では極めて微細なパターンしか形成されないため、スポット光を２次元的に走査させて、多数の微細な結晶化する部分を生じさせることで点描画を行い、その多数の微細な結晶化する部分のパターンの集合によって、文字や記号、図形等のパターンが記録層ＭＣbに記録されるようになっている。なお、図８（ｂ）には、一例として、遊技機１と基板ケース２と主制御基板３の夫々の製造番号（ＩＤ番号）、製造メーカーの名称、製造場所、製造年月日等が目視可能な大きさで記録された場合が示されている。
【００４１】
そして、図６に示したように、第１，第２ケース部４，５が閉じられて、筒部１３とＣＰＵが接触し且つマイクロチップＭＣの接着層ＭＣeがＣＰＵの上面に接着された状態で例えば遊技機１内に設けられている場合に、不正行為者が遊技機１を解錠して、第１，第２ケース部４，５を無理矢理にこじ開けると、図９の断面図にて示すように、マイクロチップＭＣの記録層ＭＣbと反射層ＭＣcが剥離され、記録層ＭＣbが破損する。つまり、記録層ＭＣbと反射層ＭＣcは機械的に圧着されており、保護層ＭＣdは、接着剤から成る接着層ＭＣeによってＣＰＵの上面に強固に接着されており、透明基板ＭＣaは紫外線硬化樹脂等の接着剤によって筒部１３の穴１３ａに強固に接着されているため、不正行為者が第１，第２ケース部４，５を無理矢理にこじ開けると、接着力の弱い記録層ＭＣbと反射層ＭＣcが剥離されて破損する。
【００４２】
そして、記録層ＭＣbと反射層ＭＣcが破損すると、記録層ＭＣbに記録されている図８（ｂ）に例示した文字や記号、図形等の目視可能なパターンも破損し、遊技機１の管理者がその破損されたパターンを見ることで、不正が成されたことを知ることができる。
【００４３】
以上に説明したように、本実施形態の遊技機１によれば、第２ケース部５の天板部１２に形成されている筒部１３にマイクロチップＭＣの透明基板ＭＣaを固着させておき、その第２ケース部５と主制御基板３が収容された第１ケース部４とを閉じることで、マイクロチップＭＣに形成されている接着剤ＭＣeをＣＰＵの上面に接着させ、基板ケース２の開閉を禁止する不正防止手段が構成される。そして、不正行為者が基板ケース２を不正に開ける、すなわち第１，第２ケース部４，５を開けると、マイクロチップＭＣに形成されている記録層ＭＣbと反射層ＭＣcが剥離されて、記録層ＭＣbが破損する。このため、遊技機１の管理者がその破損した記録層ＭＣbを透明基板ＭＣaを介して目視するだけで、不正が成されたことを知ることができ、その不正に対し防止対策を講じることができる。
【００４４】
また、マイクロチップＭＣは簡素な構造であり、且つ複雑な製造工程によらず製造することができるため、コストの低減が可能である。例えば、図５には１個のマイクロチップＭＣが示されているが、より大きな透明基板ＭＣaに、記録層ＭＣb、反射層ＭＣc、保護層ＭＣd、接着層ＭＣeを積層した中間生成物を製造し、その中間生成物を裁断して多数のマイクロチップＭＣを大量生産することにより、製造コストの低減を図ることが可能である。
【００４５】
また、マイクロチップＭＣを第２ケース部５に形成されている筒部１３に固着するだけで、第１，第２ケース部４，５を閉じたときに、第２ケース部５とＣＰＵとの間にマイクロチップＭＣを介在させた不正防止手段としての構造を実現することができ、使い勝手の向上を図ることが可能である。
【００４６】
また、記録層ＭＣbに所定の情報を有するマイクロバーコードを記録しておき、そのマイクロバーコードを情報記録再生装置１００によって読み取り再生することで、不正行為が成されたか否か調べることができる。
【００４７】
また、マイクロチップＭＣに形成されている記録層ＭＣbは、情報の記録と消去、再起録、再消去を行うことができるものであるため、例えば遊技機１の管理者が、情報記録再生装置１００を用いてマイクロバーコードの情報を適宜更新したり、目視可能な文字や記号、図形等のパターンを適宜更新することで、不正行為者の不正に対してより効果的な予防対策を施すことが可能である。
【００４８】
なお、以上の説明では、第２ケース部５に形成された筒部１３にマイクロチップＭＣを固着しておき、第１，第２ケース部４，５を閉じると、マイクロチップＭＣの接着層ＭＣeが主制御基板３に搭載されているＣＰＵの上面に接着することで、不正防止手段が構成されているが、主制御基板３に搭載されているＲＯＭの上面にマイクロチップＭＣの接着層ＭＣeを接着させるようにしてもよい。この変形例の場合、第１，第２ケース部４，５が閉じられると筒部１３の底面がＲＯＭの上面に接触するように、筒部１３を天板部１２の所定位置に形成し、その筒部１３の穴１３ａ内にマイクロチップＭＣを嵌装させて接着剤で固着すればよい。
【００４９】
また、制御基板３に搭載されている電子部品であるＣＰＵやＲＯＭにマイクロチップＭＣの接着層を接着させるだけでなく、マイクロチップＭＣの接着層を制御基板３に搭載されているＣＰＵやＲＯＭ以外の電子部品に接着させるようにしてもよい。
【００５０】
また、以上の説明では、主制御基板３を収容する基板ケース２に設けられた不正防止手段の構造について代表して説明したが、演出用制御基板を収容する基板ケースや、その他各種の制御基板を収容する基板ケースにも同様の不正防止手段の構造が適用されているため、それらの基板ケースが基板ケース２と同様に開けられると、不正行為を発見することが可能となる。
【００５１】
また、パチンコ機の実施形態について説明したが、本発明は、各種の制御基板を基板ケース内に収容して取り付けが行われる遊技機全般に適用することができ、例えばスロットマシン等にも適用することができる。
【図面の簡単な説明】
【００５２】
【図１】実施形態に係るパチンコ機の外観を概略的に示した斜視図である。
【図２】図１に示したパチンコ機を分解した場合の外観を概略的に示した分解斜視図である。
【図３】制御基板を収容して閉じた状態の基板ケースの外観を示す斜視図である。
【図４】基板ケースの開いた状態を示す斜視図である。
【図５】図５（ａ）は、マイクロチップの構造を拡大して示す斜視図、図５（ｂ）は、マイクロチップの筒部への取り付け構造を拡大して示す斜視図である。
【図６】第１ケース部と第２ケース部を閉じたときの、マイクロチップの機能等を説明するための断面図である。
【図７】情報記録再生装置の構造を説明するための説明図である。
【図８】図８（ａ）は、マイクロチップの記録層に記録されるマイクロバーコードを拡大して示す説明図、図８（ｂ）は、マイクロチップの記録層に記録される目視可能な情報を、透明基板側から見た場合を示す説明図である。
【図９】第１のケース部と第２ケース部が無理矢理にこじ開けられた場合の、マイクロチップの状態を説明するための断面図である。
【符号の説明】
【００５３】
１…遊技機
２…基板ケース
３…主制御基板
４…第１ケース部
５…第２ケース部
１３…筒部
ＭＣ…マイクロチップ
ＭＣa…透明基板
ＭＣb…記録層
ＭＣc…反射層
ＭＣd…保護層
ＭＣe…接着層
【図１】
2010099343.tif 000003
【図２】
2010099343.tif 000004
【図３】
2010099343.tif 000005
【図４】
2010099343.tif 000006
【図５】
2010099343.tif 000007
【図６】
2010099343.tif 000008
【図７】
2010099343.tif 000009
【図８】
2010099343.tif 000010
【図９】
2010099343.tif 000011